(57)【要約】【課題】  細い茎根の花材であっても確実に保持でき、更に望ましくは植物からなる花材を自由な姿勢で保持する事のできる剣山を提供する。【解決手段】    植物を生ける剣山であって、生けた植物を保持する本体部を備えており、当該本体部は、弾性変形又は塑性変形可能な樹脂製又は金属製の線材からなる毛材を、向きを揃えて複数纏めて構成されており、当該本体部の側面には、向きが揃えられた複数の毛材が露出している、毛材を用いた剣山とする。【選択図】図１
0003234925.tif 000002
【実用新案登録請求の範囲】
【請求項１】
植物を生ける剣山であって、生けた植物を保持する本体部を備えており、
当該本体部は、弾性変形又は塑性変形可能な樹脂製又は金属製の線材からなる毛材を、向きを揃えて複数纏めて構成されており、
当該本体部の側面には、向きが揃えられた複数の毛材が露出していることを特徴とする、毛材を用いた剣山。
【請求項２】
前記毛材は、微細な研磨砥粒材を含有する樹脂製であって、
前記本体部を構成する毛材の少なくとも何れかは、少なくともその一部が、長さ方向に屈曲している、請求項１に記載の剣山。
【請求項３】
前記複数の毛材を纏めて形成した本体部の先端側は、傾斜状又は錐体形状となるように毛材が設けられている、請求項１又は２に記載の剣山。
【請求項４】
前記本体部を構成する各毛材の少なくとも何れかは、その先端が、錐体形状、半球面形状、又は傾斜面形状に形成されているか、若しくは角部が面取り加工されている、請求項１〜３の何れか一項に記載の剣山。
【考案の詳細な説明】
【技術分野】
【０００１】
本考案は生け花で草花などの植物を生ける為に使用する剣山に関し、特に線材からなるブラシ用毛材を用いて形成した剣山に関する。
【背景技術】
【０００２】
生け花に用いられる汎用的な剣山は、材質が樹脂製もあるが主に金属性が主体である。それら剣山は、一方が花材を差し込む為の凸状ピンや針を縦横に一定の間隔で複数設け、もう一方は差し込んだ花材を立設する為の重りの部分で構成されている。
【０００３】
かかる生け花用の剣山について、特許文献１（実開昭６０−１３０７７２号公報）では、花材を飾る花瓶の底部に汎用的な金属製剣山や樹脂製剣山を敷設するように内設した構造の「剣山付き花瓶」を提案している。
【０００４】
また、特許文献２（特開２０２０−０９３３０７号公報）では、微細剣山製造方法として、加工物の表面に回転切削刃（ブレード）を微振動させながら縦横の溝加工を施す事が提案されている。この文献の製造方法によれば、先端の尖った複数の柱を形成することができ、微細な剣山を製作することができる。
【０００５】
そして特許文献３（実開昭５３−１２９４３７号公報）では、毛足状の細い繊維を垂直に束ねて繊維層を作り、筆記具を差し込んで保持できる程度の硬さに密着し、容器内に接着充填した筆立てが提案されており、この筆立ては生け花や造花の剣山にも利用できることが示されている。
【先行技術文献】
【特許文献】
【０００６】
【特許文献１】実開昭６０−１３０７７２号公報
【特許文献２】特開２０２０−０９３３０７号公報
【特許文献３】実開昭５３−１２９４３７号公報
【考案の概要】
【考案が解決しようとする課題】
【０００７】
上述の通り、生け花等で使用される剣山は、生ける草花などの花材の茎根部を凸状ピンや針に刺し込んで、その位置や斜倒姿勢を保持させながら立設させて鑑賞するものである。この時、太い茎根を持つ花材であれば、その茎根部を凸状ピンや針に差し込み立設する事はできるが、凸状ピンや針の太さやピッチ間隔よりも細い茎根の花材の場合には、凸状ピンや針に茎部を差し込む事ができない。無理やり花材を剣山に立設すると、花材の茎根部が裂けたり、折れたりして花材を使用できなくなるという問題があった。
【０００８】
この為、前記特許文献１で提案されている剣山付き花瓶では、剣山に生ける花材を花瓶の口元サイズに合わせて満杯になるように複数本挿入しなければ、花材を係止・定着できないものであった。
【０００９】
また、特許文献２で提案されている微細剣山製造方法で得られる剣山は、柱の縦横ピッチ間隔が３０μｍと狭く、深さも３００μｍと極めて浅いことから、たとえ細い茎根の花材であっても、差し込んで立設する事は困難であった。
【００１０】
そして特許文献３では、生け花などの剣山としても使用できる筆立てが提案されているが、その繊維層は、筆記具等を抜き差しすることを前提としていることから、毛足状の細い繊維（具体的には「天然性サイザル麻」）を垂直に束ねて構成されており、草花などの植物を保持する上では未だ改善の余地を有するものとなっていた。また繊維層の上面にしか差し込むことができない事から、草花の差し込み方向に変化を持たせることができず、生け花の剣山として利用する上では未だ改善の余地を有するものとなっていた。
【００１１】
従って、汎用的に市販されている金属製剣山や、前記特許文献で提案されている技術では、細い茎根の花材や少量だけで生ける花材の場合には、特に思い描いたイメージ通りに生け花の斜倒姿勢を保ちながら係止する事ができなかった。
【００１２】
そこで本考案では、細い茎根の花材であっても確実に保持できる剣山を提供することを課題の１つとし、更に植物からなる花材を自由な姿勢で保持する事のできる剣山を提供することも別の課題の１つとする。
【課題を解決するための手段】
【００１３】
上記課題を解決するために、本考案ではブラシ用毛材として使用している線材を複数纏めて、植物を保持する本体部を構成した剣山を提供する。
【００１４】
即ち、植物を生ける剣山であって、生けた植物を保持する本体部を備えており、当該本体部は、弾性変形又は塑性変形可能な樹脂製又は金属製の線材からなる毛材を、向きを揃えて複数纏めて形成されており、当該本体部の側面には、向きが揃えられた複数の毛材が露出している、毛材を用いた剣山を提供する。即ち、複数の毛材で形成される本体部は、先端側に毛材の先端が存在すると共に、側面には各毛材の側面が露出している。
【００１５】
前記本体部を構成する毛材は、工業用及び家庭用・医療用に用いられるブラシ用毛材と同一又は同等の材料からなる毛材を用いることができ、よって前記毛材はブラシ用毛材を使用することができる。更に当該毛材は、微細な研磨砥粒材を含有する樹脂製からなるブラシ用毛材を使用することができる。研磨砥粒材を含有することで毛材の表面には微細な凹凸が出現し、前記草花などの植物の保持力を高めることができる。
【００１６】
また当該毛材はその長さ方向において凹凸を形成することもできる。当該凹凸部は長さ方向の全体に設ける他、長さ方向の一部に形成することもできる。そして当該毛材は、花材を緩挿した時における花材に対する影響や保持力を考慮して、その先端形状を尖らせるか、球面形状に形成することもできる。
【００１７】
また当該毛材の断面形状は、円形、多角形状、星形、中空形状、その他各種形状に形成することができる。毛材の断面形状を異ならせることにより、生けた植物との摩擦抵抗が変化し、よって植物の保持力を調整することができる。そして前記本体部は、一部の領域または全体において異なる断面形状の毛材を組み合わせて形成することもできる。
【００１８】
また前記本体部を構成する毛材の少なくとも何れかは、長さ方向に屈曲させることができる。当該毛材は、その全てが曲折したものであっても良いし、何れかの領域に存在する毛材のみが屈曲していても良い。そして当該曲折する毛材は、その長さ方向全体にわたって湾曲または屈曲している他、長さ方向の一部が湾曲または屈曲していても良い。
【００１９】
また前記本体部を構成する毛材の少なくとも何れかは、その先端が、錐体形状、半球面形状、又は傾斜面形状に形成されているか、若しくは角部が面取り加工して形成することができる。毛材の先端部を加工することにより、差し込む花材に対する効果を調整することができる。例えば当該毛材の先端側を錐体形状又は傾斜面に形成することにより、保持する花材に刺さり込んでより強固に保持することができ、一方で当該毛材の先端側を球面に形成するか、角部を面取り加工すれば、花材に刺さりにくい剣山とすることができる。
【００２０】
そして上記毛材は、長さ方向を揃えて纏めることによって本体部を構成することができる。特に毛材の基端側を接着又は融着するか、或いは帯や紐などの結束具で束ねて纏めることにより、前記本体部を構成することができる。毛材単体を複数本纏めて任意の形状及び大きさの集合体とし、その基端側を熱や超音波・誘電加熱等で溶融・融着するか、または熱硬化性樹脂並びに接着剤等で固着し、或いは帯状部材や筐体としてのベース部材となるケースなどによって束ねることができる。但し当該本体部は一部の領域又は全体において長さの異なる毛材を組み合わせて形成することもできる。毛材の長さを異ならせることにより、生けた植物の保持力を異ならせることができる。
【００２１】
そして前記本体部は、一部の領域又は全体において、材質や太さの異なる毛材を組み合わせても良い。例えば、中心部と外側、上下または左右において、纏める毛材の材質や太さを異ならせることもできる。
【００２２】
以上のようにして複数本の毛材を纏めて形成した本体部は、生け花で用いられる花瓶や器の形に合わせて、円形や四角、異形形状に形成することができる。また、当該本体部の下部には、花瓶や器に傷をつけないように、ゴムや樹脂などの柔軟性を有する材料で形成するか、当該材料で被覆して形成した基部を設けることができる。そして基部の底面には、錐体形状に突起した穿設部を設けることもできる。
【００２３】
また前記複数の毛材を纏めて形成した本体部の先端側は、複数の毛材から形成された先端形状を各種凹凸形状に形成することができる。即ち、花器に嵌着し固着された毛材集合体（本体部）の反対側（先端側）は花材の挿入側であり、当該本体部の先端部は凹凸形状や平坦形状となるように複数の毛材を設けることができる。この本体部の先端部形状を筆型、剣型、テーパー型、角丸め形状等に装設し適度な密度と保持力で毛材同士が係合する集合体構造にする事で、花材を何度でも挿脱でき、且つ緩挿した花材を斜倒した姿勢で、そのまま係止できる特徴を持つ、毛材からなる花留め用の剣山とすることができる。
【００２４】
本考案は、花瓶や台座の中底に金属製の剣山を敷いて生け花用花材の茎根部を突き刺して固定するこれまでの剣山に代わり、柔軟で曲成された細いブラシ毛材を集合体にし、その毛先先端部を装設する事で細い茎根の花材や少量だけで生ける花材でも花材の茎根を折損させる事無く、緩挿できる。しかも何度でも挿脱しながら思い通りの斜倒姿勢で係止させて立設できる花留めブラシ剣山を提供するものである。
【考案の効果】
【００２５】
生け花は、花瓶や器の中に剣山を敷設し花材の茎根部を凸状ピン突起部に刺し込んで花材の位置や斜倒姿勢を係止させながら立設させてその姿を鑑賞するものである。これまで汎用的に市販されている剣山は、太い茎根を持つ花材であればピン状突起に茎根部を差し込み立設する事はできるが、ピン状突起径やピン状突起部のピッチ間隔よりも細い茎根の花材の場合には、ピン状突起部に茎部を差し込む事ができず、無理やり花材を立設すると花材の茎根本部が裂けたり、折れたりするので花材が使用できなくなる事が多かった。加えて細い茎根の花材や少量だけで生ける花材は思い描いたイメージ通りに生け花の斜倒姿勢を係止する事ができない最大の課題があった。
【００２６】
本考案にかかる毛材を用いた剣山は、生けた植物を保持する本体部を、弾性変形又は塑性変形可能な樹脂製又は金属製の線材からなる毛材を用いて、当該毛材の向きを揃えて複数纏めて構成している。このため柔軟な毛材の集合体を纏着させたことで毛材同士が係合する集合体構造となり、適度な密度と握着したような保持力を維持できる。そして本考案に係る剣山は、花瓶や台座の中底に設置し、生け花用の花材の茎根部を突き刺して固定していた従前の金属製の剣山に代えて使用することができる。
【００２７】
また、本考案に係る剣山を構成する本体部の側面には、向きが揃えられた複数の毛材の側面が露出していることから、花材は斜めの姿勢であっても保持することが可能である。よって、柔軟で曲成された毛材同士が係合しあい抱持する構造により、生け花愛好家並びに華道家である創作者の意図する花材の斜倒姿勢をそのまま係止できる。
【００２８】
特に毛材を弾性変形可能な線材で形成した場合には、花材の姿勢に修正を加えるため花材を挿脱しても、毛材が遊動し花材を挿入する元の状態に復元される為、何度でも挿脱しながら思い通りに立設できる。また、曲成された細い毛材の集合体に柔軟で遊動する自由度を持たせて毛先先端部を装設する事で、太い茎根の花材はもとより、髪の毛の様な細い茎根の花材や少量だけで生ける花材であっても、素材の茎根部を傷つける事無く緩挿でき、しっかりと花留めできる。即ち、髪の毛の様に細い茎根の花材でも自由に花留めできる本考案に係る剣山は、生け花愛好家や華道に携わる専門の方々、華道会からの熱望要求に応えた、これまでにない発想の新たな花留めブラシ剣山として提供することができる。
【図面の簡単な説明】
【００２９】
【図１】本実施の形態に係る剣山を示す斜視図
【図２】図１の剣山に使用する本体部を示す斜視図
【図３】本実施の形態に係る剣山の使用例を示す斜視図
【図４】本実施の形態に係る剣山の他の使用例を示す斜視図であり、（ａ）花瓶に内接した使用例、（ｂ）皿状器に埋設した使用例
【図５】他の実施の形態に係る剣山を示す斜視図
【図６】本体部を構成する他の実施の形態に係る毛材を示す斜視図
【図７】更に他の実施の形態に係る剣山における本体部を示す斜視図
【考案を実施するための形態】
【００３０】
以下、図面を参照しながら、幾つかの実施の形態にかかる、線材を用いた剣山１０を具体的に説明する。
【００３１】
本考案にかかる剣山１０は、複数の線材からなる毛材２１を、長さ方向を揃えて基端側２１ｂを纏めた本体部２０を用いて形成しており、図１の斜視図に示す本実施の形態の剣山１０では、当該複数の毛材２１からなる本体部２０の基端側２１ｂを、筒状の筐体からなるベース部材３０内に収容してまとめて構成している。かかる剣山１０を構成する毛材２１は、工業用及び家庭用・医療用に用いられるブラシ素材と同等又は近似した特性を有する樹脂及び微細な研磨砥粒材を含有した合成樹脂素材からなる毛材２１（特に「ブラシ毛材２１」とも言う）を用いることができる。
【００３２】
また当該本体部２０を構成する毛材２１の断面形状は、円形、角型、星形、中空等の変形も可能であり、複数の素材を結合しても良い。また当該毛材２１は直線及び螺旋形状や波型等に曲成されていても良く、前記本体部２０はこのような毛材２１を複数本纏めて任意の集合体にすることができる。
【００３３】
図２は上記複数の毛材２１の基端部側を纏めて一体化した本体部２０を示す斜視図である。この図に示す様に、複数の毛材２１は、その長さ方向を揃えた状態で、その一端（基端側２１ｂ）を、熱や超音波・誘電加熱等で溶融・融着するか、または熱硬化性樹脂並びに接着剤等で集合体の基部を一体化することができ、更に当該基端側２１ｂの外周面に筒状のチューブ部材２２を被せて緊結することによって一体化することができる。
【００３４】
このように基端側２１ｂを一体化させた複数の毛材２１を本体部２０として、前記筐体として機能するベース部材３０内に収容することにより、本実施の形態に係る剣山１０を構成することができる。かかるベース部材３０は、本実施の形態では本体部２０の下端側を収容する筒状部３１と、当該筒状部から下方にテーパー状に縮径して形成した穿設部３２とで構成しているが、当該構造に限定されるものではない。即ち、当該ベース部材３０は、少なくとも前記本体部２０を収容可能な穴部３３を備える限りにおいて、その外形は自由に形成することができる。従って、生け花に使用する花瓶やその他の器の形状に合わせて形成することができる。即ち、生け花で用いられる花瓶や器の形に合わせて、円形や四角等の様々な形状に形成することができ、これを設置する花瓶や器に傷のつかない素材（ゴムや樹脂等の弾性材料）で形成するか、当該素材で被覆して形成することができる。
【００３５】
図３及び４は本実施の形態に係る剣山１０の使用状態を示す斜視図である。図３に示す剣山１０は前記図１に示した剣山１０に、花材Ｆを生けた状態を示している。この図に示す様に、花材Ｆの茎部を前記複数の毛材２１からなる本体部２０内に挿入しており、当該花材Ｆの茎は本体部２０を構成する毛材２１の復元力によって支持され、生けた状態を保持することができる。図４は図１に示した剣山１０を（Ａ）花瓶内に設置した状態、（Ｂ）花器に設置した他の実施の形態に係る剣山１０を示している。図４（Ａ）に示す様に、前記剣山１０は筒状などの各種形状に形成された花瓶内に挿入して使用することができ、これにより生け花における意匠効果を高めることができる。
【００３６】
また生け花においては皿状の花器を使用し、これに花材Ｆを生けることもある。そこで図４（Ｂ）に示す様に、剣山１０を平面視で四角形に形成することもできる。この実施の形態に係る剣山１０では、その本体部２０を構成する毛材２１は比較的短く形成することができ、当該剣山１０の平面視における縦長又は横長よりも毛材２１の長さを短く形成することができる。このように形成した剣山１０では広い面積に花材Ｆを生けることができ、使用者の思い通りの生け花を創作することができる。なお、当該剣山１０の全体形状は、生け花で用いられる花瓶や器の形に合わせて、円形や四角の他、各種形状（平面形状及び側面形状）に形成することができる。また毛材２１の長さは、少なくとも生け花に使用する花材Ｆを保持できる長さに形成することが必要である。
【００３７】
特にこの図３及び４に示す様に、本実施の形態に係る剣山１０は、緩挿した花材Ｆの茎根部を、柔軟性を有する毛材２１同士が係合し合って抱持することができ、これにより斜倒させた花材Ｆをそのままの姿勢で係止することができる。特に本体部２０の側面には、向きが揃えられた複数の毛材２１を露出させておくことにより、より柔軟な姿勢で花材Ｆを支持することができる。特に本体部２０の側面には、向きが揃えられた複数の毛材の側面が露出しており、少なくとも上方において側面側が拘束されていない事から、毛材２１は自由に弾性変形可能であって、これにより様々な姿勢で花材Ｆを支持することが可能になっている。
【００３８】
そして毛材２１からなる本体部２０の下側を、花瓶や器に傷のつかない素材（ゴムや樹脂などの弾性材）で形成するか、当該素材で被覆することにより、毛材２１は纏着された範囲内で遊動できる自由度を確保することができる。よって、花材Ｆを挿脱しても毛材２１が遊動し、花材Ｆ挿入前の状態に復元できることから、何度でも繰り返して花材Ｆを支承することができる。また弾性を有する素材で本体部２０の下側を保持することにより、毛材２１同士が係合する集合体構造となり、ブラシ端面側（先端側２１ａ）は花材Ｆを緩挿し易い密度となり、溶融・固着された基部側よりになるほど握着したような保持力を発揮することができる。
【００３９】
図５は他の実施の形態に係る剣山１０を示す斜視図である、この実施の形態に係る剣山１０は、前記筒状の筐体からなるベース部材３０の下面に幹足３５を設けている。かかる幹足３５は、木、樹脂、又は金属などからなる棒状部材をベース部材３０の下面に一体化して形成することができる。かかる幹足３５は、花瓶や花器内に設けた発泡材や砂状材、又は固定材に差し込むための脚部として使用することができる。
【００４０】
図６は前記本体部２０を構成する他の実施の形態に係る毛材２１を示す斜視図である。即ち、前記本体部２０を構成する線材からなる毛材２１は、それぞれが直線状である他、この図６に示す様に屈曲した線材を用いることもできる。更に当該毛材２１として湾曲した線材や、螺旋状に形成された線材を用いることもできる。このような各種形状の線材を纏めて本体部２０を構成することにより、本体部２０における花材Ｆの保持力を任意に調整することもできる。また、当該毛材２１の先端側２１ａ、即ち纏められる基部の反対側は、図６に示す様に平坦に形成する他、錐体形状に形成しても良く、また球面形状（半球形状）や傾斜面形状に形成してもよい。更に平坦に形成した縁の角部を面取り加工しても良い。
【００４１】
図７は更に他の実施の形態に係る剣山１０における本体部２０を示す斜視図である。この図７に示す様に本体部２０において、複数の毛材２１が纏められた基端側２１ｂとは反対側の先端側（上部側）は、花材Ｆを立設する側として存在する。そこで、様々な形状及び／又は向きに花材Ｆを保持することができる様に、複数の毛材２１で形成されている本体部２０の先端側を、凹凸形状や傾斜形状等、各種形状に形成することができる。特に図７（Ａ）では、本体部２０の先端側を錐体形状に形成しており、中央部が高くなるように形成している。これに関連して、中央部が錐径又は擂鉢状に凹むように形成することもできる。このような形状の剣山１０においては、高さに変化を持たせて花材Ｆを生けることができる。また図７（Ｂ）に示す剣山１０では、その本体部２０の先端側を傾斜状に形成している。特に図７（Ｂ）では幅方向の一方から他方に向かって傾斜面を形成しているが、径方向の中央から外側に向かって傾斜させても良い。このような形状の剣山１０によれば、斜め方向から差し込んだ花材Ｆを確実に保持することができ、よって傾けた状態で花材Ｆを生けることができる。そして図７（Ｃ）では、先端部の縁部を丸めて面取り加工を施している。このように形成することで仮に花材Ｆが剣山１０に触れたとしても損傷を与えることの無い剣山１０を実現することができる。その他にも当該本端部の先端側は、筆型、剣型形状等、各種形状に形成することができ、花材Ｆの茎根部を損傷させる事無く緩挿し易い機能を持たせることができる。
【産業上の利用可能性】
【００４２】
本考案の剣山は、生け花等において花材を保持するために使用することができ、その他にも各種部材を差し込んで保持するための部材としても使用することができる。
【符号の説明】
【００４３】
１０    剣山
２０    本体部
２１    毛材
２１ａ    毛材の先端側
２１ｂ    毛材の基端側
２２    チューブ部材
３０    ベース部材
３１    筒状部
３２    穿設部
３３    穴部
３５    幹足
Ｆ    花材
【図１】
0003234925.tif 000003
【図２】
0003234925.tif 000004
【図３】
0003234925.tif 000005
【図４】
0003234925.tif 000006
【図５】
0003234925.tif 000007
【図６】
0003234925.tif 000008
【図７】
0003234925.tif 000009